(57)【要約】      （修正有）【課題】フォークリフトトラックにより物品を載せたパレットや直接物品を高所の収納棚に搬入し、搬出する際その位置決めに熟練技能を要したり、時間を要していた。或いはその為に比較的高価な装置を必要としていた。それを未熟練の作業者でも速く且つ安価で可能とする装置に関する。【解決手段】一般のフォークリフトトラックのフォークに続く立上がりシャフトを昇降させる一組以上の連結昇降柱の最頂部に滑車を設け、滑車を介して鎖或いはロープの端に錘を付けて、それを展張して床に付け、他の端は座席に設置したリールに巻き、棚の高さに対応する位置に付けた印しとリールに設けた矢印しとを合わせる。【選択図】なし【特許請求の範囲】
【請求項１】
フォークリフトトラックの二本のフォーク立上がりシャフトが沿って昇降する一セット以上の連結昇降柱の頂点に滑車を設置し、錘を先端に付けた鎖やロープを滑車に掛けて運転席に設置のリールに巻き付け、錘を床面に置き、鎖やロープをたゆみなく張って、棚面とフォークを挿入したパレットの底面又は上面若しくはフォークで直接収納物を棚に搬出入出来る高さにフォークが位置するときの鎖やロープに付けた目印しとリールに付設の矢印が合致するようにした収納物を所定棚に搬出入する装置。
【発明の詳細な説明】
【技術分野】
【０００１】  本発明は、フォークリフトトラックによって収納物を所定棚に搬入、搬出する場合のフォークの高さ位置決めの装置に関する。
【背景技術】
【０００２】  フォークリフトトラックによって、物品を高い所定棚に搬入、搬出する場合、目測による場合は、非常に時間を要したり、困難な技能を必要とし、設備による場合は、ファイバースコープによる直接確認や光電管と棚毎の受光板による受光合わせ確認など高価な費用を必要としていた。
【発明の開示】
【発明が解決しようとする課題】
【０００３】  これを安価な設備費用でかつ容易な作業で、収納物とその収納棚の高さ位置を確実に決める技術を提供するものである。
【課題を解決するための手段】
【０００４】  本発明は、収納棚にフォークリフトトラックを直面して、収納物を搬出入する。或いは収納棚にフォークリフトトラックを横付けして収納物を搬出入する、いずれの場合にも適用出来る。【０００５】  本発明の要点は、二本のフォークに続き直角に立ち上がるシャフトが沿って昇降し、ガイドとなる一本以上の連結昇降柱の頂点に滑車を設置し、先端に錘を付けた鎖やロープを滑車に通し、反対側は、トラックの運転席に設置のリールに巻き付け、フォークが収納棚との定めた高さ関係位置にあるとき、展張した鎖やロープに付けた色付け等目印しとリールに付設の矢印しとが一致するようにした装置である。
【発明を実施するための形態】
【０００６】  図１は収納棚１に直面したフォークリフトトラック２の側面を示している。又本実施例の場合は、収納棚１の収納棚面３とフォーク４を挿入した汎用パレット５の底面６の高さを一致させた一般的な棚とフォークリフトトラックの利用方法である。
【０００７】  汎用パレット５を使用せずに、直接フォーク４に載せた不織布の巻き物等の荷を棚に搬出入させる場合の棚とフォークの高さ位置関係でもある。
【０００８】  フォーク４がほぼ直角に曲がり立上がっているシャフト７は昇降柱８に固設してある。昇降柱８は昇降ガイド柱９の中をスライドして昇降する。昇降柱９は本柱１０の内側を昇降する。中間の昇降ガイド柱９は無くとも良いし、更に複数でも良い。昇降柱８や昇降ガイド柱９は、本事例では油圧シリンダー１１，１２でそれぞれ昇降する。
【０００９】  本事例では、昇降柱は、昇降ガイド柱９と共に二本であるが、一本でも良いし車体の重量により、又棚の高さにより三本以上でもそれに対応する油圧シリンダー設備によって可能である。
【００１０】  本事例の昇降柱８及び昇降ガイド柱９の昇降力は、油圧であるが、電動力を利用することも出来る。尚昇降柱８や昇降ガイド柱９及び本柱１０は断面をＨ形状やＵ形状とし、その内側を滑車を介して中の昇降柱が昇降するように施工する。
【００１１】  昇降柱８の頂部には滑車１３が設置されてあり、滑車には、一端は錘１４を付け、その反対端は、フォークリフトトラックの運転者が良く見える車体位置に設置したリール１５に巻き付けてある、鎖或いはロープ１６が懸けてある。
【００１２】  収納物を搬入出する収納棚面３と汎用パレット５の下面６が合致する位置で昇降柱８の頂部上の滑車１３に掛けてある鎖或いはロープ１６をリール１５を回転し転張させ、錘１４を棚床面に付け、それに対応するリール１５の矢印１７が示す鎖或いはロープ１６の位置に棚箇所を示す目印１８を付ける。
【００１３】  以上の手順により、作業者が鎖やロープ１６に付けた目印１８とリール１５の矢印１７を合わせることによって、パレットをその収納棚に正確に搬入、或いは搬出することが出来る。
【００１４】  尚パレットを使わずに直接藁や不織布等の巻き物を直接収納棚に収納し、又搬出する場合でもフォークと収納棚の位置を合わせることに基づき、上記の方法で直接収納物の所定棚への搬入、搬出が可能である。
【００１５】  図２は、収納棚１にフォークリフトトラック２を横付けして、収納物を両側の棚に搬出入させる実施例の斜視図である。この実施例の目的は、収納棚１にフォークリフトトラック２を横付けして物品や汎用パレット５をトラックの両側の収納棚１に、搬入、搬出させることにより、棚間の距離が約３分の１になり、総合的に棚倉庫スペースを約２分の１にする効果を有する方法である。
【００１６】  このケースは、図２のようにフォークリフトトラック２のフォーク４を挿入したベースパレット２０の上面と収納棚３の面との高さレベルを合致させる場合であるが、反対側の棚への搬入、搬出図は省略してある。尚フォークの高さレベル合わせの方法は、図１の実施例と同じであるため、省略してある。
【００１７】  この実施例はその概略を述べるに止める。
図２はフォークリフトトラックの二本のフォーク４のシャフト７の立上がり近くに突起１９を設けベースパレット２０の上板に開けた二つの穴２１に挿入する。これによりフォークリフトトラックの棚との間隔や前後の位置決めが容易となる。
【００１８】  ベースパレット２０の上に棚方向に二本のレールを敷設しその上に、車輪が棚との間に落ちないように片側三車輪の二段昇降台車２２を置く。下段面２５の下面には左右の棚間を移動する電動機と車輪を設置する。電動機の電源はバッテリフォークリフトトラックの動力源を転用する。
【００１９】  二段昇降台車の上段面２４を上昇させて、棚に収納する汎用パレット５或いは直接収納物を載せる。二段昇降台車２２を棚内に移動し、棚内の二つの置台２３の間に入れ、二段昇降台車２２の上段面２４を下降して２つの買台２３の上に移し置く。二段昇降台車２２は、ベースパレット２０上に戻る。
【００２０】  棚内の収納物を搬出するときは、上段面２４を下降させた二段昇降台車２２を棚内の置台２３の間に移動し、上段面２４を上昇して、置台２３上の汎用パレット５や直接収納物を上段面２４に移し載せベースパレット２０上に戻る。
【００２１】  本実施例はフォークリフトトラックの両側の棚に収納物を搬入、搬出出来る方法であり、ベースパレット２０の上面を収納棚面３と高さレベルを合わせる実施例である。
【００２２】  以上フォークリフトトラックを収納棚１に横付けして、収納物を搬入、搬出させる場合でも本出願のパレットと棚の位置合わせ方法が適用出来ることを説明した。
【発明の効果】
【００２３】  本発明によれば、収納物を所定の棚に収納し、搬出することが容易で又安全である。
【００２４】  本発明によれば、短時間で又確実に作業出来て、且つ低価格で装置が設置出来る。
【図面の簡単な説明】
【００２５】
【図１】本発明による棚と収納パレット及びフォークリフトトラックの側面図である。
【図２】本発明による棚にフォークリフトトラックを横付けして、収納物を搬入、搬出する斜視図である。
【符号の説明】
【００２６】  １…収納棚                            ２…フォークリフトトラック
３…収納棚面                          ４…フォーク
５…汎用パレット                      ６…汎用パレットの底面
７…シャフト                          ８…昇降柱
９…昇降ガイド柱                    １０…本柱
１１…油圧シリンダー                  １２…油圧シリンダー
１３…滑車                            １４…錘
１５…リール                          １６…鎖或いはロープ
１７…矢印                            １８…目印し
１９…突起                            ２０…ベースパレット
２１…ベースパレットの上板            ２２…二段昇降台車
に開けた穴
２３…置台                            ２４…上段面
２５…下段面
【図１】
2011168404.tif 000002
【図２】
2011168404.tif 000003